(57)【特許請求の範囲】
【請求項１】
トリガー式液体噴霧器において、
１）シリンダ、シリンダ内部を摺動可能に設けたピストン、ピストンをシリンダの外部方向へ押す働きをするスプリング、ピストンを摺動させるトリガーを備える液体を圧縮するポンプ、
２）該ピストンの動き、及び該シリンダ内部との圧力差により開閉する吸入弁の働きによりシリンダ内部と連通する液体の流入路、
３）該流入路へ液体容器本体から液体を流入させるためのチューブ、
４）該シリンダ内部の圧力により開閉する吐出弁の働きによりシリンダ内部と連通する液体の流出路、
５）該流出路から外部へ液体を噴霧させるための整流部材、ノズルで構成される噴霧部、
を具備し、
該シリンダ内部の液体圧力が一定値以上の状態において外部へ液体を噴霧すると共に、
前記トリガーの引きを継続しつづけ、トリガーの引きの終点付近での液体圧力が一定値以下になる時点で、シリンダ内部の液体圧力を急激に下げるための、ピストンの端部が吸入弁に接触し吸入弁を開ける機構を備える
ことを特徴とするトリガー式液体噴霧器。
【請求項２】
前記ピストンの内部に、液体がシリンダ内部から吐出弁に到るためのピストン内流路を設けたことを特徴とする請求項１記載のトリガー式液体噴霧器。
【請求項３】
前記ピストンがシリンダ内部の一定位置に達した際に、液体容器本体内部と外気がシリンダ壁を経て通気するための通気路を設けたことを特徴とする請求項１、又は請求項２記載のトリガー式液体噴霧器。
【請求項４】
請求項１乃至請求項３記載のトリガ一式液体噴霧器を用いたことを特徴とする液体噴霧容器。
【発明の詳細な説明】
【０００１】
【発明の属する技術分野】
本発明は、液体容器本体内の液体を吸い上げ、液体を霧状に噴出するトリガー式液体噴霧器及び液体噴霧容器に関するものであり、特に、噴霧の開始時及び終了時に噴霧ムラや液ダレを発生させないトリガー式液体噴霧器及び液体噴霧容器に関する。
【０００２】
【従来の技術】
従来より、住宅用洗剤、衣料用糊剤、台所用洗剤等の液体容器として、液体容器本体の口部にトリガー式液体噴霧器が装着された液体噴霧容器が多く使用されている。このトリガー式液体噴霧器が装着された液体噴霧容器は、トリガーレバーを作動させ、連動しているピストンによりシリンダ内を減圧にし、液体容器本体内の液体中に一端を潰漬したチューブを通じて液体を吸い上げ、シリンダ内に液体を満たす。そして、シリンダ内に満たされた液体をピストンにより圧縮することで、トリガー先端のノズルを通じて液体を噴霧するようになっている。
【０００３】
このようなトリガー式液体噴霧器が装着された液体噴霧容器の問題点として、トリガーの引きはじめと引きおわりの時点ではシリンダ内の液体圧力が低いために、液体が均一な霧状にならず、液体を均一に噴霧することが出来ないことがあげられる。
この問題を解決した液体噴霧容器として、ノズルの流出路にシリンダ内の液体圧力が一定圧力時でのみ開く機構の吐出弁を設けたものや、このような機構の吐出弁を設け、更にトリガーレバーを最後まで引いた際にはシリンダ内の液体圧力を低下させる機構を設けて吐出弁を閉じてしまうものがある。
しかし、これらの機構を加えるとトリガー式液体噴霧器の構造が複雑になり、液体噴霧容器を構成している部品点数が増えるので生産効率上好ましくないものである。
【０００４】
【発明が解決しようとする課題】
本発明は、トリガー式液体噴霧器において、噴霧の開始時及び終了時に噴霧ムラや液ダレを発生させない、簡単な構造のトリガー式液体噴霧器、及びそれを用いた液体噴霧容器を提供することを課題とするものである。
【０００５】
【課題を解決するための手段】
本発明は、トリガー式液体噴霧器において、
１）シリンダ、シリンダ内部を摺動可能に設けたピストン、ピストンをシリンダの外部方向へ押す働きをするスプリング、ピストンを摺動させるトリガーを備える液体を圧縮するポンプ、
２）該ピストンの動き、及び該シリンダ内部との圧力差により開閉する吸入弁の働きによりシリンダ内部と連通する液体の流入路、
３）該流入路へ液体容器本体から液体を流入させるためのチューブ、
４）該シリンダ内部の圧力により開閉する吐出弁の働きによりシリンダ内部と連通する液体の流出路、
５）該流出路から外部へ液体を噴霧させるための整流部材、ノズルで構成される噴霧部、
を具備し、
該シリンダ内部の液体圧力が一定値以上の状態において外部へ液体を噴霧すると共に、
前記トリガーの引きを継続しつづけ、トリガーの引きの終点付近での液体圧力が一定値以下になる時点で、シリンダ内部の液体圧力を急激に下げるための、ピストンの端部が吸入弁に接触し吸入弁を開ける機構を備える
ことを特徴とするトリガー式液体噴霧器である。
【０００６】
また、本発明は、上記発明によるトリガー式液体噴霧器において、前記ピストンの内部に、液体がシリンダ内部から吐出弁に到るためのピストン内流路を設けたことを特徴とするトリガー式液体噴霧器である。
【０００７】
また、本発明は、上記発明によるトリガー式液体噴霧器において、前記ピストンがシリンダ内部の一定位置に達した際に、液体容器本体内部と外気がシリンダ壁を経て通気するための通気路を設けたことを特徴とするトリガー式液体噴霧器である。
【０００９】
また、本発明は、上記発明によるトリガー式液体噴霧器を用いたことを特徴とする液体噴霧容器である。
【００１０】
【発明の実施の形態】
本発明を一実施の形態に基づいて以下に詳細に説明する。
図１は、本発明によるトリガー式液体噴霧器の一実施例を示す断面図である。
図１に示すように、トリガー式液体噴霧器は、液体を圧縮するポンプ（１０）、液体の流入路（２０）、液体の流出路（３０）、液体を噴霧させる噴霧部（４０）などで構成されている。
【００１１】
液体を圧縮するポンプ（１０）は、シリンダ（１１）、シリンダ内部を摺動可能に設けたピストン（１２）、ピストンをシリンダの外部方向へ押す働きをするスプリング（１３）、ピストンを摺動させるトリガー（１４）などで構成されている。そして、（１５）はシリンダ内部、（１６）はピストンのオーリングを示している。ピストン（１２）は、その材質を選択しオーリング（１６）の役割を兼用させてもよい。
【００１２】
また、液体の流入路（２０）は、ピストンの動き、及びシリンダ内部（１５）との圧力差により開閉する吸入弁（２１）の働きによりシリンダ内部と連通する液体の流入路であり、この液体の流入路（２０）には、液体容器本体（図示せず）から液体を流入させるためのチューブ（２２）が接続されている。
【００１３】
液体の流出路（３０）は、シリンダ内部（１５）の圧力により開閉する吐出弁（３１）の働きによりシリンダ内部と連通する液体の流出路である。
液体を噴霧させる噴霧部（４０）は、流出路（３０）から外部へ液体を噴霧させるためのものであり、整流部材（４１）、ノズル（４２）などで構成されている。
【００１４】
また、図１において、（３２）は吐出弁用のバネ、（５０）は液体がシリンダ内部から吐出弁に到るためのピストン内流路、（６０）は液体容器本体内部と外気がシリンダ壁を経て通気するための通気路、（７０）は液体容器本体への装着部を各々示している。
【００１５】
本発明によるトリガー式液体噴霧器においては、シリンダ内部（１５）の圧力により開閉する吐出弁（３１）は、シリンダ内部の液体圧力が一定値以下では吐出弁用のバネ（３２）により閉じた状態であり、また、シリンダ内部の液体圧力が一定値以上の、すなわち、シリンダ内部（１５）の圧力の方が、吐出弁用のバネ（３２）が吐出弁（３１）を押す力よりも大きい際には、吐出弁（３１）は開いた状態となるようになっている。
【００１６】
従って、トリガー（１４）を引くことにより、ピストン（１２）が摺動しシリンダ内部（１５）の液体圧力が上昇するが、液体圧力が一定値以下では液体は噴霧されず、液体圧力が一定値以上になった時点から液体の噴霧が開始されるため、噴霧開始時の噴霧の状態は均一なものとなり、噴霧ムラや液ダレは発生しないものとなる。
そして、トリガー（１４）の引きを継続しつづけると、液体圧力は一定値以上を保ちつづけ、このような噴霧の状態が継続される。
【００１７】
また、本発明によるトリガー式液体噴霧器においては、トリガー（１４）の引きを継続しつづけ、トリガーの引きの終点付近での液体圧力が一定値以下になる時点の、シリンダ内部（１５）におけるピストン（１２）の位置において、ピストンの端部が吸入弁（２１）に接触し、図１に示す点線矢印の方向に吸入弁（２１）を傾斜させ、吸入弁（２１）を開けるような機構になっている。
【００１８】
従って、トリガー（１４）の引きの終点付近では、シリンダ内部（１５）の液体圧力が次第に低下するものであるが、トリガーの引きの終点付近の、上記液体圧力が一定値以下になる時点で吸入弁（２１）が開かれ、シリンダ内部（１５）の液体の一部は流入路（２０）に戻され、シリンダ内部（１５）の液体圧力が急激に下げられるので、吐出弁（３１）は即座に閉じられ液体の噴霧が停止されることになる。
【００１９】
すなわち、液体圧力が一定値以上である間は噴霧が継続されるが、液体圧力が一定値以下になった時点で噴霧が停止される。
このため、噴霧終了時の噴霧の状態は均一なものとなり、噴霧ムラや液ダレは発生しないものとなる。
【００２０】
このように、本発明によるトリガー式液体噴霧器においては、シリンダ内部の液体圧力が一定値以上の状態において外部へ液体を噴霧するので、噴霧中はもとより、噴霧の開始時、及び終了時に噴霧ムラや液ダレを発生させない、簡単な構造のトリガー式液体噴霧器となる。
【００２１】
また、本発明によるトリガー式液体噴霧器においては、図１に示すように、トリガー（１４）を指で引くことによりシリンダ内部（１５）を圧縮する方向にピストン（１２）を摺勤させ、指をはなすことによりスプリング（１３）によりもとの位置に戻されるようになっている。
シリンダ内部（１５）の液体を圧縮することにより、液体は吐出弁（３１）、流出路（３０）を経て噴霧部（４０）から外部へ噴霧されるが、スプリング（１３）によりピストンが元の位置に戻されることでシリンダ内部（１５）の液体圧力が低下し吸入弁（２１）が開き、チューブ（２２）を経て液体容器本体内の液体が吸い上げられる。
【００２２】
この際、液体容器本体から液体が吸い上げられると液体容器本体内は減圧となり、液体容器本体の材料に、例えば、プラスチックを用い液体容器の厚みが薄い場合にはバキューム変形を起こすことがある。
本発明においては、このような現象を防止するためピストン（１２）がシリンダ内部（１５）の一定位置に達した際に、液体容器本体内部と外気がシリンダ壁を経て通気するための通気路（６０）を設けたものである。そして、この通気路（６０）の一定位置は、液漏れなどを考慮するとピストン（１２）が液体を最圧縮するときに通気する位置であることが好ましいものである。
【００２３】
また、図２は、本発明によるトリガー式液体噴霧器の他の例を示す断面図である。図２におけるトリガー式液体噴霧器においては、前記図１の吸入弁（２１）における、（イ）ピストンの動きにより開閉する吸入弁の働き、と（ロ）シリンダ内部との圧力差により開閉する吸入弁の働き、という二つの働きを区分したものである。
【００２４】
すなわち、第一吸入弁（２３）は（イ）ピストンの動きにより開閉する吸入弁の働きの機能を、第二吸入弁（２４）は（ロ）シリンダ内部との圧力差により開閉する吸入弁の働きの機能を、各々有するものである。
これにより、前記トリガーの引きの終点付近で、液体圧力が一定値以下になる時点でのシリンダ内部（１５）の液体圧力が、より急激に下げられるものとなる。
【００２５】
【発明の効果】
本発明は、液体を圧縮するポンプ、ピストンの動き、及びシリンダ内部との圧力差により開閉する吸入弁の働きによりシリンダ内部と連通する液体の流入路、チューブ、シリンダ内部の圧力により開閉する吐出弁の働きによりシリンダ内部と連通する液体の流出路、噴霧部、などを具備し、シリンダ内部の液体圧力が一定値以上の状態において外部へ液体を噴霧するトリガー式液体噴霧器であるので、噴霧の開始時及び終了時に噴霧ムラや液ダレを発生させない、簡単な構造のトリガー式液体噴霧器となる。
【００２６】
また、本発明は、液体を圧縮するポンプのピストンがシリンダ内部の一定位置に達した際に、液体容器本体内部と外気がシリンダ壁を経て通気するための通気路を設けたので、液体容器の厚みが薄い場合でもバキューム変形を起こすことがない。
【００２７】
また、本発明は、上記トリガー式液体噴霧器を用いた液体噴霧容器であるので、噴霧の開始時及び終了時に噴霧ムラや液ダレを発生させない、簡単な構造の液体噴霧容器となる。
【図面の簡単な説明】
【図１】本発明によるトリガー式液体噴霧器の一実施例を示す断面図である。
【図２】本発明によるトリガー式液体噴霧器の他の例を示す断面図である。
【符号の説明】
１０・・・液体を圧縮するポンプ
１１・・・シリンダ
１２・・・ピストン
１３・・・スプリング
１４・・・トリガー
１５・・・シリンダ内部
１６・・・オーリング
２０・・・液体の流入路
２１・・・吸入弁
２２・・・チューブ
２３・・・第一吸入弁
２４・・・第二吸入弁
３０・・・液体の流出路
３１・・・吐出弁
３２・・・吐出弁用のバネ
４０・・・液体を噴霧させる噴霧部
４１・・・整流部材
４２・・・ノズル
５０・・・ピストン内流路
６０・・・通気路
７０・・・装着部
【図１】
0003758405.tif 000002
【図２】
0003758405.tif 000003